(57)【要約】【課題】  住宅の軒先の改修時に既設の軒樋と簡単に接続することができる軒樋継手を提供することを目的とする。【解決手段】軒樋の端部を相互に接続する軒樋継手Ａであって、軒樋本体１１ｃの外周面に沿うように曲成した外継手１と軒樋本体１１ｃの内周面に沿うように曲成した内継手２とが相互に間隔を開けて結合部３で一体に結合され、外継手１と内継手２との間隔が軒樋本体１１ｃの肉厚ｔの２．０〜２．５倍の挿入隙間４とされている。【選択図】      図１  
2005083055.tif 000002
【特許請求の範囲】
【請求項１】
軒樋の端部を相互に接続する軒樋継手であって、軒樋本体の外周面に沿うように曲成した外継手と軒樋本体の内周面に沿うように曲成した内継手とが相互に間隔を開けて結合部で一体に結合され、外継手と内継手との間隔が軒樋本体の肉厚の２．０〜２．５倍の挿入隙間とされていることを特徴とする軒樋継手。
【発明の詳細な説明】
【技術分野】
【０００１】
本発明は、軒樋の端部を相互に接続する軒樋継手に関する。
【背景技術】
【０００２】
従来から、耳把持部を有する外継手と耳把持部を有さない内継手とを相互に間隔を開けて結合してその両端部に側方に開口した軒樋端部挿入溝を形成してなる軒樋継手は知られている。
このような従来の軒樋継手は、屋根の軒先において、両側の軒樋端部挿入溝に各々側方から同一メーカーの同一規格の軒樋の端部が挿入嵌合され、両軒樋の端部が相互に接続されるものである。（例えば、特許文献１参照。）。
【０００３】
ところで、住宅の軒先の改修時に既設の軒樋の一部を取り外して新品の軒樋と交換する等の補修を行うことがことがある。この場合、既設軒樋と同一規格のものを新品の軒樋として用意する必要があるが、既設軒樋と同一規格の軒樋や軒樋継手等の部材に在庫が無いことがある。そのため、既設軒樋と略同じ寸法、形状かまたは異なる断面形状を有する新規の軒樋を用いて既設軒樋と接続することがある。
【特許文献１】実開平４−４７０２０号公報（第１図）
【発明の開示】
【発明が解決しようとする課題】
【０００４】
しかしながら、新規の軒樋や軒樋継手において、その本体部が既設軒樋と寸法、形状の規格が類似したものであっても、耳部の寸法、形状が異なったりすると、既設の軒樋は新規の軒樋継手を介して接続することができなかった。
例えば、図１２に示すように半丸形状の軒樋（通称：半丸軒樋１０５）の場合、どのメーカー（Ａ社、Ｂ社  ・・・  ）の軒樋も、耳部以外は寸法・形状に殆ど差異がなく、軒樋本体部の円弧部分が接続可能であっても、軒樋継手の耳把持部では軒樋の耳部を嵌合することができなかった。
【０００５】
本発明は、このような事情に鑑みて、住宅の軒先の改修時に既設の軒樋と簡単に接続することができる軒樋継手を提供することを目的としている。
【課題を解決するための手段】
【０００６】
このような目的を達成するために、請求項１に記載の発明に係わる軒樋継手（以下、「請求項１の軒樋継手」と記す）は、軒樋の端部を相互に接続する軒樋継手であって、軒樋本体の外周面に沿うように曲成した外継手と軒樋本体の内周面に沿うように曲成した内継手とが相互に間隔を開けて結合部で一体に結合され、外継手と内継手との間隔が軒樋本体の肉厚の２．０〜２．５倍の挿入隙間とされていることを特徴とした。
【発明の効果】
【０００７】
本発明軒樋継手によれば、軒樋の端部を相互に接続する軒樋継手であって、軒樋本体の外周面に沿うように曲成した外継手と軒樋本体の内周面に沿うように曲成した内継手とが相互に間隔を開けて結合部で一体に結合され、外継手と内継手との間隔が軒樋本体の肉厚の２．０〜２．５倍の挿入隙間とされているので、住宅の軒先の改修時に既設の軒樋と簡単に接続することができる。
【発明を実施するための最良の形態】
【０００８】
次に、本発明の実施の形態の一例を、図１〜図１１に基づいて説明する。  
【実施例１】
【０００９】
図１〜図７は、本発明軒樋継手の実施の形態における実施例１を説明する図である。  図において、図１は本発明の実施例１における軒樋継手を示す斜視図、図２は同じく軒樋継手の側面図、図３は本発明の実施例１において使用される一方の軒樋を示す側面図、図４は本発明の実施例１において使用される他方の軒樋を示す側面図、図５は本発明の実施例１における軒樋継手の使用状態を説明する分解斜視図、図６は本発明の実施例１において一方の軒樋を接続した状態を説明する側断面図、図７は本発明の実施例１において他方の軒樋を接続した状態を説明する側断面図である。
【００１０】
図１において、この軒樋継手Ａは、耳部の寸法、形状が異なるが同一規格の半円形状の軒樋（通称；半丸樋１０５）であれば両側方から接続可能となっており、軒樋の外周面に沿うように半円形の樋状に曲成した外継手１と軒樋本体の内周面に沿うように曲成した半円形の樋状に曲成した内継手３とが相互に間隔を開けて結合部３で一体に結合され、外継手１と内継手２との間隔が挿入隙間４とされている。
【００１１】
本実施例において、両側方から接続される一方の軒樋（既設の軒樋）としては、図３に示すような半円形状の軒樋本体１１ｃの両側上縁端部に半円形の耳部１２ｃが外向きに突出して形成された半丸型の軒樋１Ｃを用いており、また、他方の軒樋（新規の軒樋）としては、図４に示すような半円形状の軒樋本体２１ｃの両側上縁端部に円形の耳部２２ｃが外向きに突出して形成された半丸型の軒樋２Ｃを用いた。
【００１２】
双方の軒樋１Ｃ、２Ｃが接続される軒樋継手Ａは、樋状に曲成した外継手１は内継手２と同じ長さに合わされており、外継手１と内継手２で形成される挿入隙間４の間隙寸法ｓは軒樋の厚みｔの２．０〜２．５倍の間隙に設定されている。挿入隙間４の間隙寸法ｓが２．０倍未満であると軒樋の端部を軒樋継手の挿入隙間に挿入し難く、また、２．５倍を越えると接続しても外れ易く、軒樋との接続部に雨水が浸入して雨漏れが生じる易い。
【００１３】
このような軒樋継手Ａは、図５に示すようにして軒樋が接続される。
先ず、改修時に取り替えようとする既設の軒樋や軒樋継手を軒先から取り外して、残された既設の一方の半丸型の軒樋１Ｃの端部に、新規の軒樋継手Ａを配設して軒樋継手Ａの挿入隙間４に軒樋１Ｃの軒樋本体１１ｃの端部を挿入する。
【００１４】
続いて、既設の軒樋１Ｃに取り付けられた軒樋継手Ａの他方側に新規の半丸型の軒樋２Ｃを配設して、軒樋継手Ａの他方側から軒樋継手Ａの挿入隙間４に軒樋２Ｃの軒樋本体２１ｃの端部を挿入して接続する。
この場合、既設の軒樋１Ｃとしては厚みｔ1 が１．２５ｍｍで耳部１２ｃの高さｄ1 が１０．０ｍｍのものを使用し、また、新設の軒樋２Ｃとしては厚みｔ2 が１．３０ｍｍで耳部２２ｃの高さｄ2 が８．０ｍｍのものを使用し、挿入隙間４の間隔は軒樋１Ｃの肉厚に対して２．４倍となるようにし、軒樋２Ｃの肉厚に対して２．３倍となるように設定して、新設の軒樋継手Ａの挿入隙間４の寸法ｍが３．０ｍｍとなるようにしたものを使用した。
【００１５】
このように、既設の軒樋１Ｃと新規な軒樋２Ｃとがそれぞれ肉厚や耳部の寸法、形状が異なっていても、図６〜図７に示すように、軒樋１Ｃ、２Ｃの軒樋本体１１ｃ、２１Ｃが軒樋継手Ａの挿入隙間４に挿入され、かつ、軒樋１Ｃ、２Ｃのそれぞれの耳部１２ｃ、２２ｃが外継手１と内継手２のそれぞれの両上縁端部で形成される挿入隙間４から露出した状態で接続されることになるから、既設の軒樋１Ｃと新規の軒樋２Ｃとを軒樋継手Ａで簡単にかつ外観が見栄えよく接続することができる。
【実施例２】
【００１６】
図８〜図１１は、本発明軒樋継手の実施の形態における実施例２を説明する図で、図において、図８は本発明の実施例２における軒樋継手を示す斜視図、図９は同じく軒樋継手の側面図、図１０は本発明の実施例２において一方の軒樋を接続した状態を説明する側断面図、図１１は本発明の実施例２において他方の軒樋を接続した状態を説明する側断面図である。
【００１７】
図８において、この軒樋継手Ｂは、実施例１における軒樋継手Ａの外継手１の両側片部のうち一方の側片部の上端部に断面Ｃ字状の耳把持部５が内方に向けて設けられいるだけであって、その他の構造は実施例１と同じであるので説明は省略する。
【００１８】
本実施例では、両側方から接続される一方の軒樋（既設の軒樋）及び他方の軒樋（新規の軒樋）としては、実施例１で説明したものと同じもので、図３及び図４に示すような半丸型の軒樋１Ｃ、２Ｃを用いた。
【００１９】
このような軒樋継手Ｂは、図１１に示すようにして軒樋が接続される。
先ず、改修時に取り替えようとする既設の軒樋や軒樋継手を軒先から取り外して、残された既設の一方の半丸型の軒樋１Ｃの端部に、新規の軒樋継手Ｂを配設して軒樋継手Ｂの挿入隙間４に軒樋１Ｃの軒樋本体１１ｃの端部を挿入するとともに軒樋１Ｃの両耳部１２ｃのうち片方の耳部１２ｃを軒樋継手Ｂの耳把持部５に挿入する。
このとき、軒樋１Ｃの両耳部１２ｃのうち片方の耳部１２ｃが軒樋継手Ｂの耳把持部５に挿入され保持されるが、他方の耳部１２ｃは軒樋継手Ｂの上縁端部で形成される挿入隙間４から露出した状態となっている。
【００２０】
続いて、既設の軒樋１Ｃに取り付けられた軒樋継手Ａの他方側に新規の半丸型の軒樋２Ｃを配設して、軒樋継手Ａの他方側から軒樋２Ｃの軒樋本体２１ｃの端部を挿入し、上記軒樋１Ｃを接続したときと同じようにして、挿入隙間４に軒樋１Ｃの端部を挿入するとともに軒樋１Ｃの両耳部１２ｃのうち片方の耳部１２ｃを軒樋継手Ｂの耳把持部５に挿入する。
【００２１】
このように、既設の軒樋１Ｃと新規な軒樋２Ｃとがそれぞれ肉厚や耳部の寸法、形状が異なっていても、図１１〜図１２に示すように、軒樋１Ｃ、２Ｃは軒樋本体１１ｃ、２１Ｃが軒樋継手Ａの挿入隙間４に挿入され、軒樋１Ｃ、２Ｃの片側の耳部１２ｃ、２２ｃが軒樋継手Ｂの耳把持部５に挿入され、他側の耳部１２ｃ、２２ｃが外継手１と内継手２のそれぞれの両上縁端部で形成される挿入隙間４から露出した状態で接続されることになるから、既設の軒樋１Ｃと新規の軒樋２Ｃとを軒樋継手Ａで簡単にかつ外観が見栄えよく接続することができる。
【００２２】
以上、本発明の実施の形態を図面により詳述してきたが、具体的な形態はこの実施の形態に限られものではなく、本発明の要旨を逸脱しない範囲における設計の変更等があっても本発明に含まれる。
例えば、軒樋継手Ａ、Ｂの挿入隙間４に接着剤を塗布してから軒樋本体１１ｃ、２１ｃを挿入して接着固定により接続が確実に行われるようにしてもよい。
【図面の簡単な説明】
【００２３】
【図１】本発明の実施例１における軒樋継手を示す斜視図である。
【図２】同上軒樋継手の側面図である。
【図３】本発明の実施例１において使用される一方の軒樋を示す側面図である。
【図４】本発明の実施例１において使用される他方の軒樋を示す側面図である。
【図５】本発明の実施例１における軒樋継手の使用状態を説明する分解斜視図である。
【図６】本発明の実施例１において一方の軒樋を接続した状態を説明する側断面図である。
【図７】本発明の実施例１において他方の軒樋を接続した状態を説明する側断面図である。
【図８】本発明軒樋継手の実施形態における実施例２を示す斜視図である。
【図９】同上軒樋継手の側面図である。
【図１０】本発明の実施例２における軒樋継手の使用状態を説明する分解斜視図である。
【図１１】本発明の実施例２において一方の軒樋を接続した状態を説明する側断面図である。
【図１２】本発明の実施例２において他方の軒樋を接続した状態を説明する側断面図である。
【図１３】本発明軒樋継手において使用される軒樋の寸法関係を示した説明図である。
【符号の説明】
【００２４】
Ａ、Ｂ          軒樋継手
１              外継手
２              内継手
３              結合部                                                          ４              挿入隙間
５              耳把持部
１Ｃ            一方の軒樋（既設の軒樋）  
２Ｃ            他方の軒樋（新設の軒樋）
１１ｃ、２１ｃ    軒樋本体
【図１】
2005083055.tif 000003
【図２】
2005083055.tif 000004
【図３】
2005083055.tif 000005
【図４】
2005083055.tif 000006
【図５】
2005083055.tif 000007
【図６】
2005083055.tif 000008
【図７】
2005083055.tif 000009
【図８】
2005083055.tif 000010
【図９】
2005083055.tif 000011
【図１０】
2005083055.tif 000012
【図１１】
2005083055.tif 000013
【図１２】
2005083055.tif 000014
【図１３】
2005083055.tif 000015